(57)【要約】    【課題】  水深が深い箇所であっても、水没しないフライフィッシング用ラインベッドを提供することである。    【解決手段】  浮揚性材料で形成された矩形の本体（１２）と、本体の表面に配置され、本体上に載せたラインが水流によりラインベッド上から流されるのを阻止するための１又は複数個の突起（１４）と、本体を身体の所望箇所に連結するためのチェーン又は紐（１８）とを備え、身体のほぼ正面に位置する水面上に本体を置き、本体上にラインを載せてフライフィッシングを行うように構成されていることを特徴とするフライフィッシング用ラインベッド（１０）が提供される。【選択図】  図１
0003116312.tif 000002
【実用新案登録請求の範囲】
【請求項１】
フライフィッシング用ラインベッドであって、
浮揚性材料で形成された矩形の本体と、
前記本体の表面に配置され、前記本体上に載せたラインが水流によりラインベッド上から流されるのを阻止するための１又は複数個の突起と、
前記本体を身体の所望箇所に連結するためのチェーン又は紐とを備え、
身体のほぼ正面に位置する水面上に前記本体を置き、前記本体上にラインを載せてフライフィッシングを行うように構成されていることを特徴とするラインベッド。
【請求項２】
前記本体の表面に凹凸が設けられていることを特徴とする請求項１に記載のラインベッド。
【請求項３】
前記本体に１又は複数の折り線が設けられ、携帯又は保管の際に折り畳むことができるように構成されていることを特徴とする請求項１又は２に記載のラインベッド。
【考案の詳細な説明】
【技術分野】
【０００１】
本考案は、フライフィッシングの際に用いられるラインベッドに関する。
【背景技術】
【０００２】
昆虫や小魚などを模したフライ（擬似餌）を用いて魚を釣るフライフィッシングが人気を博している。フライフィッシングにおいては、ロッドの先端からラインを繰り出して前に垂らして魚を釣る。その際に、手元に手繰り寄せたラインが絡まったりしないように、籠状のラインベッドを体のほぼ正面に配置し、ラインベッド上にラインを載せておくのが一般的である。
【考案の開示】
【考案が解決しようとする課題】
【０００３】
しかしながら、従来のラインベッドは、籠状であるため、水深が深い箇所ではラインベッド中に水が入ってしまい、ラインベッド（従って、ラインベッドに載せたライン）が水没してしまうという不都合があった。したがって、水深が深い箇所であっても、水没しないラインベッドの開発が望まれていた。
【０００４】
本考案は、このような状況に鑑みて案出されたものであって、水深が深い箇所であっても、水没しないフライフィッシング用ラインベッドを提供することを目的としている。
【課題を解決するための手段】
【０００５】
本願請求項１に記載のフライフィッシング用ラインベッドは、浮揚性材料で形成された矩形の本体と、前記本体の表面に配置され、前記本体上に載せたラインが水流によりラインベッド上から流されるのを阻止するための１又は複数個の突起と、前記本体を身体の所望箇所に連結するためのチェーン又は紐とを備え、身体のほぼ正面に位置する水面上に前記本体を置き、前記本体上にラインを載せてフライフィッシングを行うように構成されていることを特徴とするものである。
【０００６】
本願請求項２に記載のフライフィッシング用ラインベッドは、前記請求項１のラインベッドにおいて、前記本体の表面に凹凸が設けられていることを特徴とするものである。
【０００７】
本願請求項３に記載のフライフィッシング用ラインベッドは、前記請求項１又は２のラインベッドにおいて、前記本体に１又は複数の折り線が設けられ、携帯又は保管の際に折り畳むことができるように構成されていることを特徴とするものである。
【考案の効果】
【０００８】
本考案によれば、水深が深い場所であっても水没せず、ラインが水流によって流されることもなく、保管や携帯にも便利なフライフィッシング用ラインベッドが提供される。
【考案を実施するための最良の形態】
【０００９】
次に添付図面を参照して、本考案の好ましい実施の形態に係るフライフィッシング用ラインベッドについて詳細に説明する。図１は、本考案の好ましい実施の形態に係るフライフィッシング用ラインベッドを示した斜視図である。図１において全体として参照符号１０で示される本考案の好ましい実施の形態に係るフライフィッシング用ラインベッドは、矩形の本体１２を備えている。
【００１０】
本体１２は、浮揚性材料（例えば、ウレタンフォーム）で形成されている。また、好ましくは、本体１２の表面には、規則的に配列された多数の凹凸１２ａが設けられている。さらに、好ましくは、本体１２は、携帯や保管の便を考慮してコンパクトにすることができるように、１又は複数の折り線１２ｂが設けられている。
【００１１】
好ましくは、本体１２の表面には、１又は複数個（図１では、６個図示されている）の突起１４が配置されている。突起１４は、後述するように、フライフィッシング用ラインベッド１０上に載せたラインが水流によりラインベッド１０上から流されてしまうのを阻止する役目を果たす。突起１４は、図２（ａ）に示されるように、ねじ１６で取り外し可能に本体１２に取り付けてもよく、図２（ｂ）に示されるように、本体１２に設けられた開口部に嵌め込むようにしてもよい。
【００１２】
図３は、本考案のフライフィッシング用ラインベッド１０を使用して、フライフィッシングを行っている状態を示した模式図である。使用時には、身体のほぼ正面に位置する水面上に本体１２を置き、チェーン又は紐１８を用いて、本体１２を身体の所望箇所（図３では腰）に連結し、ロッドの先端から繰り出したラインをラインベッド１０上に載せて、フライフィッシングを行う。その際、水流によってラインが流されないように、ラインを本体１２上に突起１４に引っ掛けておくとよい。なお、チェーン又は紐１８を連結するための孔１２ｃを、本体１２の縁部に設けておくと好都合である。
【００１３】
携帯時や保管時には、図４に示されるように、本体１２を折り畳むのがよい。特に、携帯する際には、折り畳んだ本体１２にチェーン又は紐１８を連結し、肩に掛ける等してもよい。
【００１４】
なお、本発明者は、本体１２の表面に凹凸１２ａを設けておくと、釣った魚をラインベッド１０上に載せても、激しく動かないことを見い出した。
【００１５】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１６】
例えば、前記実施の形態では、本体１２の表面に凹凸１２ａが設けられているが、図５に示されるように、本体１２の表面を平滑にしてもよい。
【図面の簡単な説明】
【００１７】
【図１】本考案の好ましい実施の形態に係るフライフィッシング用ラインベッドを示した斜視図である。
【図２】図１のフライフィッシング用ラインベッドの本体に取り付けられる突起の拡大断面図である。
【図３】図１のフライフィッシング用ラインベッドを使用している状態を示した模式図である。
【図４】図１のフライフィッシング用ラインベッドを折り畳んだ状態を示した斜視図である。
【図５】本考案の別の好ましい実施の形態に係るフライフィッシング用ラインベッドを示した斜視図である。
【符号の説明】
【００１８】
１０、２０  フライフィッシング用ラインベッド
１２、２２  本体
１４、２４  突起
１６  ねじ
１８  チェーン又は紐
【図１】
0003116312.tif 000003
【図２】
0003116312.tif 000004
【図３】
0003116312.tif 000005
【図４】
0003116312.tif 000006
【図５】
0003116312.tif 000007